(57)【要約】【課題】基地局を探索する場合において低電力化を図るとともに、基地局探索時における基地局の検出率の低下を好適に防止することができるようにする。【解決手段】本発明の移動無線端末は、移動体通信網に属する基地局との通信に利用可能な周波数群のうち、測定される前記無線信号の電界強度が基準値以上である周波数を用いて第１の基地局探索方法で基地局を探索し、移動体通信網に属する基地局との通信に利用可能な周波数群を用いて第２の基地局探索方法で基地局を探索し、第１の基地局探索方法による基地局の探索回数が予め設定または記憶される探索回数の上限値と一致するまで第１の基地局探索方法によって基地局を探索し、第１の基地局探索方法で基地局の探索回数が予め設定または記憶される前記上限値と一致するまでに第１の基地局探索方法による基地局探索が成功しない場合、第２の基地局探索方法によって基地局を探索するように制御する。【選択図】  図２
2011044956.tif 000002
【特許請求の範囲】
【請求項１】
移動体通信網に属する基地局と無線通信する通信手段と、
前記通信手段が前記移動体通信網に属する基地局から受信する無線信号の電界強度を測定する測定手段と、
前記通信手段による前記移動体通信網に属する基地局との通信に利用可能な周波数群のうち、前記測定手段により測定される前記無線信号の電界強度が基準値以上である周波数を用いて基地局を探索する第１の探索手段と、
前記通信手段による前記移動体通信網に属する基地局との通信に利用可能な周波数群を用いて基地局を探索する第２の探索手段と、
前記第１の探索手段による基地局の探索回数が予め設定または記憶される探索回数の上限値と一致するまで前記第１の探索手段によって基地局を探索し、前記第１の探索手段による基地局の探索回数が予め設定または記憶される前記上限値と一致するまでに前記第１の探索手段による基地局探索が成功しない場合、前記第２の探索手段によって基地局を探索するように制御する探索制御手段を備えることを特徴とする移動無線端末。
【請求項２】
前記探索制御手段は、前記第２の探索手段による基地局探索が成功した場合、予め設定または記憶される前記上限値を所定の値減算した値に再設定することを特徴とする請求項１に記載の移動無線端末。
【請求項３】
予め設定または記憶される前記上限値を減算する前記所定の値は、固定値であることを特徴とする請求項２に記載の移動無線端末。
【請求項４】
予め設定または記憶される前記上限値を減算する前記所定の値は、前記上限値に応じて可変であることを特徴とする請求項２に記載の移動無線端末。
【請求項５】
前記探索制御手段は、前記第２の探索手段による基地局探索が成功し、かつ予め設定または記憶される前記上限値が所定の基準値以下である場合、予め設定または記憶される前記上限値を維持することを特徴とする請求項２に記載の移動無線端末。
【請求項６】
前記探索制御手段は、前記第２の探索手段による基地局探索が失敗した場合、予め設定または記憶される前記上限値を所定の値加算した値に再設定することを特徴とする請求項１に記載の移動無線端末。
【請求項７】
予め設定または記憶される前記上限値に加算する前記所定の値は、固定値であることを特徴とする請求項６に記載の移動無線端末。
【請求項８】
予め設定または記憶される前記上限値に加算する前記所定の値は、前記第２の探索手段による基地局探索の失敗回数に応じて可変であることを特徴とする請求項６に記載の移動無線端末。
【請求項９】
前記探索制御手段は、前記第２の探索手段による基地局探索が失敗し、かつ予め設定または記憶される前記上限値が所定の基準値以上である場合、予め設定または記憶される前記上限値を維持することを特徴とする請求項６に記載の移動無線端末。
【請求項１０】
前記探索制御手段は、予め設定または記憶される前記上限値の再設定後、前記第１の探索手段による基地局の探索回数が再設定された前記上限値と一致するまで前記第１の探索手段によって基地局を探索することを特徴とする請求項６に記載の移動無線端末。
【請求項１１】
前記探索制御手段は、前記第１の探索手段または前記第２の探索手段による基地局探索が成功しない場合、前記第１の探索手段と前記第２の探索手段のいずれかによる基地局探索処理が終了してから所定の停止期間が経過した後、前記第１の探索手段と前記第２の探索手段のいずれかによる次の基地局探索処理を開始することを特徴とする請求項１に記載の移動無線端末。
【請求項１２】
前記第２の探索手段が基地局を探索する場合に用いる周波数には、前記通信手段による前記移動体通信網に属する基地局との通信に利用可能な周波数群のうち、前記測定手段により測定される前記無線信号の電界強度が基準値以上である周波数も含まれることを特徴とする請求項１に記載の移動無線端末。
【請求項１３】
移動体通信網に属する基地局と無線通信する通信ステップ、
前記通信ステップの処理により前記移動体通信網に属する基地局から受信する無線信号の電界強度を測定する測定ステップと、
前記通信ステップの処理による前記移動体通信網に属する基地局との通信に利用可能な周波数群のうち、前記測定ステップの処理により測定される前記無線信号の電界強度が基準値以上である周波数を用いて基地局を探索する第１の探索ステップと、
前記通信ステップの処理による前記移動体通信網に属する基地局との通信に利用可能な周波数群を用いて基地局を探索する第２の探索ステップと、
前記第１の探索ステップの処理による基地局の探索回数が予め設定または記憶される探索回数の上限値と一致するまで前記第１の探索ステップの処理によって基地局を探索し、前記第１の探索ステップの処理による基地局の探索回数が予め設定または記憶される前記上限値と一致するまでに前記第１の探索ステップの処理による基地局探索が成功しない場合、前記第２の探索ステップの処理によって基地局を探索するように制御する探索制御ステップとを含むことを特徴とする基地局探索方法。
【請求項１４】
前記第２の探索ステップの処理による基地局探索が成功した場合、前記探索制御ステップの処理によって、予め設定または記憶される前記上限値が所定の値減算した値に再設定されることを特徴とする請求項１３に記載の基地局探索方法。
【請求項１５】
予め設定または記憶される前記上限値を減算する前記所定の値は、固定値であることを特徴とする請求項１４に記載の基地局探索方法。
【請求項１６】
予め設定または記憶される前記上限値を減算する前記所定の値は、前記上限値に応じて可変であることを特徴とする請求項１４に記載の基地局探索方法。
【請求項１７】
前記第２の探索ステップの処理による基地局探索が成功し、かつ予め設定または記憶される前記上限値が所定の基準値以下である場合、前記探索制御ステップの処理によって、予め設定または記憶される前記上限値が維持されることを特徴とする請求項１４に記載の基地局探索方法。
【請求項１８】
前記第２の探索ステップの処理による基地局探索が失敗した場合、前記探索制御ステップの処理によって、予め設定または記憶される前記上限値が所定の値加算した値に再設定されることを特徴とする請求項１３に記載の基地局探索方法。
【請求項１９】
予め設定または記憶される前記上限値に加算する前記所定の値は、固定値であることを特徴とする請求項１８に記載の基地局探索方法。
【請求項２０】
予め設定または記憶される前記上限値に加算する前記所定の値は、前記第２の探索手段による基地局探索の失敗回数に応じて可変であることを特徴とする請求項１８に記載の基地局探索方法。
【請求項２１】
前記第２の探索ステップの処理による基地局探索が失敗し、かつ予め設定または記憶される前記上限値が所定の基準値以上である場合、前記探索制御ステップの処理によって、予め設定または記憶される前記上限値が維持されることを特徴とする請求項１８に記載の基地局探索方法。
【請求項２２】
予め設定または記憶される前記上限値の再設定後、前記第１の探索ステップの処理による基地局の探索回数が再設定された前記上限値と一致するまで前記第１の探索ステップの処理によって基地局が探索されることを特徴とする請求項１８に記載の基地局探索方法。
【請求項２３】
前記第１の探索ステップの処理または前記第２の探索ステップの処理による基地局探索が成功しない場合、前記第１の探索ステップの処理と前記第２の探索ステップの処理のいずれかによる基地局探索処理が終了してから所定の停止期間が経過した後、前記探索制御ステップの処理によって、前記第１の探索ステップの処理と前記第２の探索ステップの処理のいずれかによる次の基地局探索処理が開始されることを特徴とする請求項１３に記載の基地局探索方法。
【請求項２４】
前記第２の探索ステップの処理により基地局が探索される場合に用いる周波数には、前記通信ステップの処理による前記移動体通信網に属する基地局との通信に利用可能な周波数群のうち、前記測定ステップの処理により測定される前記無線信号の電界強度が基準値以上である周波数も含まれることを特徴とする請求項１３に記載の基地局探索方法。
【請求項２５】
移動体通信網に属する基地局と無線通信する通信手段と、前記通信手段が前記移動体通信網に属する基地局から受信する無線信号の電界強度を測定する測定手段とを備える移動無線端末の基地局探索方法において、
前記通信手段による前記移動体通信網に属する基地局との通信に利用可能な周波数群のうち、前記測定手段により測定される前記無線信号の電界強度が基準値以上である周波数を用いて基地局を探索する第１の探索ステップ、
前記通信手段による前記移動体通信網に属する基地局との通信に利用可能な周波数群を用いて基地局を探索する第２の探索ステップと、
前記第１の探索ステップの処理による基地局の探索回数が予め設定または記憶される探索回数の上限値と一致するまで前記第１の探索ステップの処理によって基地局を探索し、前記第１の探索ステップの処理による基地局の探索回数が予め設定または記憶される前記上限値と一致するまでに前記第１の探索ステップの処理による基地局探索が成功しない場合、前記第２の探索ステップの処理によって基地局を探索するように制御する探索制御ステップを含むことを特徴とする基地局探索方法。
【請求項２６】
移動体通信網に属する基地局と無線通信する通信手段と、
前記通信手段が前記移動体通信網に属する基地局から受信する無線信号の電界強度を測定する測定手段と、
前記通信手段による前記移動体通信網に属する基地局との通信に利用可能な周波数群のうち、前記測定手段により測定される前記無線信号の電界強度が基準値以上である周波数を用いて基地局を探索する第１の探索手段と、
前記通信手段による前記移動体通信網に属する基地局との通信に利用可能な周波数群を用いて基地局を探索する第２の探索手段と、
前記第１の探索手段による基地局の探索時間が予め設定または記憶される探索時間の上限値と一致するまで前記第１の探索手段によって基地局を探索し、前記第１の探索手段による基地局の探索時間が予め設定または記憶される前記上限値と一致するまでに前記第１の探索手段による基地局探索が成功しない場合、前記第２の探索手段によって基地局を探索するように制御する探索制御手段を備えることを特徴とする移動無線端末。
【発明の詳細な説明】
【技術分野】
【０００１】
本発明は移動無線端末および基地局探索方法に係り、特に、基地局を探索する場合において低電力化を図ることができるようにした移動無線端末および基地局探索方法に関する。
【背景技術】
【０００２】
圏外の状態にある移動無線端末が圏内に復帰するために基地局を探索する場合、移動無線端末は、まず移動無線端末が周囲の基地局から受信する受信信号の電力強度（ＲＳＳＩ：Received Signal Strength Indicator）を測定し、測定される受信信号が一定のしきい値以上のＲＳＳＩ値を持つ周波数が割り当てられる基地局に対してのみ探索する（例えば特許文献１参照）。これにより、ＲＳＳＩ値が全くない周波数が割り当てられる基地局を無駄に探索することを防止することができ、移動無線端末が圏外にある場合における基地局探索での消費電力の低減を図ることができる。
【先行技術文献】
【特許文献】
【０００３】
【特許文献１】特開２００６−３１１３２９号公報
【発明の概要】
【発明が解決しようとする課題】
【０００４】
しかしながら、移動無線端末が周囲の基地局から受信する受信信号のＲＳＳＩ値が一定のしきい値以上であることと、移動無線端末が基地局から送信される無線フレームとの同期を確立し通信可能な基地局を見つけ出すことが可能であることとの間に相関関係が薄い場合もありうる。すなわち、たとえある周波数の受信信号のＲＳＳＩ値が一定のしきい値以上でなくても、その周波数の受信信号から無線フレームの同期を確立し通信可能な基地局を見つけ出すことが可能な場合がある。一方、移動無線端末の周囲において干渉信号が多い状況下では、たとえある周波数の受信信号のＲＳＳＩ値が一定のしきい値以上であるとしても、干渉信号によって、移動無線端末が受信信号から無線フレームの同期を確立できず通信可能な基地局を見つけ出すことができない場合もありうる。このような場合、一律にＲＳＳＩ値による足切り判定処理を行うことによって、基地局を探索することが可能な周波数を検出することができなくなってしまう可能性がある。その結果、移動無線端末がＲＳＳＩ値による足切り判定を利用して基地局を探索する場合には、移動無線端末が待ち受けすることが可能な基地局の検出率が低下してしまう。
【０００５】
本発明は、このような状況に鑑みてなされたものであり、基地局を探索する場合において低電力化を図るとともに、基地局探索時における基地局の検出率の低下を好適に防止することができる移動無線端末および基地局探索方法を提供することを目的とする。
【課題を解決するための手段】
【０００６】
本発明の移動無線端末は、上述した課題を解決するために、移動体通信網に属する基地局と無線通信する通信手段と、通信手段が移動体通信網に属する基地局から受信する無線信号の電界強度を測定する測定手段と、通信手段による移動体通信網に属する基地局との通信に利用可能な周波数群のうち、測定手段により測定される無線信号の電界強度が基準値以上である周波数を用いて基地局を探索する第１の探索手段と、通信手段による移動体通信網に属する基地局との通信に利用可能な周波数群を用いて基地局を探索する第２の探索手段と、第１の探索手段による基地局の探索回数が予め設定または記憶される探索回数の上限値と一致するまで第１の探索手段によって基地局を探索し、第１の探索手段による基地局の探索回数が予め設定または記憶される上限値と一致するまでに第１の探索手段による基地局探索が成功しない場合、第２の探索手段によって基地局を探索するように制御する探索制御手段を備えることを特徴とする。
【０００７】
本発明の基地局探索方法は、上述した課題を解決するために、移動体通信網に属する基地局と無線通信する通信ステップ、通信ステップの処理により移動体通信網に属する基地局から受信する無線信号の電界強度を測定する測定ステップと、通信ステップの処理による移動体通信網に属する基地局との通信に利用可能な周波数群のうち、測定ステップの処理により測定される無線信号の電界強度が基準値以上である周波数を用いて基地局を探索する第１の探索ステップと、通信ステップの処理による移動体通信網に属する基地局との通信に利用可能な周波数群を用いて基地局を探索する第２の探索ステップと、第１の探索ステップの処理による基地局の探索回数が予め設定または記憶される探索回数の上限値と一致するまで第１の探索ステップの処理によって基地局を探索し、第１の探索ステップの処理による基地局の探索回数が予め設定または記憶される上限値と一致するまでに第１の探索ステップの処理による基地局探索が成功しない場合、第２の探索ステップの処理によって基地局を探索するように制御する探索制御ステップとを含むことを特徴とする。
【０００８】
本発明の基地局探索方法は、上述した課題を解決するために、移動体通信網に属する基地局と無線通信する通信手段と、通信手段が移動体通信網に属する基地局から受信する無線信号の電界強度を測定する測定手段とを備える移動無線端末の基地局探索方法において、通信手段による移動体通信網に属する基地局との通信に利用可能な周波数群のうち、測定手段により測定される無線信号の電界強度が基準値以上である周波数を用いて基地局を探索する第１の探索ステップ、通信手段による移動体通信網に属する基地局との通信に利用可能な周波数群を用いて基地局を探索する第２の探索ステップと、第１の探索ステップの処理による基地局の探索回数が予め設定または記憶される探索回数の上限値と一致するまで第１の探索ステップの処理によって基地局を探索し、第１の探索ステップの処理による基地局の探索回数が予め設定または記憶される上限値と一致するまでに第１の探索ステップの処理による基地局探索が成功しない場合、第２の探索ステップの処理によって基地局を探索するように制御する探索制御ステップを含むことを特徴とする。
【０００９】
本発明の移動無線端末は、上述した課題を解決するために、移動体通信網に属する基地局と無線通信する通信手段と、通信手段が移動体通信網に属する基地局から受信する無線信号の電界強度を測定する測定手段と、通信手段による移動体通信網に属する基地局との通信に利用可能な周波数群のうち、測定手段により測定される無線信号の電界強度が基準値以上である周波数を用いて基地局を探索する第１の探索手段と、通信手段による移動体通信網に属する基地局との通信に利用可能な周波数群を用いて基地局を探索する第２の探索手段と、第１の探索手段による基地局の探索時間が予め設定または記憶される探索時間の上限値と一致するまで第１の探索手段によって基地局を探索し、第１の探索手段による基地局の探索時間が予め設定または記憶される上限値と一致するまでに第１の探索手段による基地局探索が成功しない場合、第２の探索手段によって基地局を探索するように制御する探索制御手段を備えることを特徴とする。
【発明の効果】
【００１０】
本発明によれば、基地局を探索する場合において低電力化を図るとともに、基地局探索時における基地局の検出率の低下を好適に防止することができる。
【図面の簡単な説明】
【００１１】
【図１】本発明に係る移動無線端末の内部の構成を示すブロック図。
【図２】図１の移動無線端末における圏外での基地局探索処理を説明するフローチャート。
【図３】移動無線端末が圏外の状態に遷移した後に圏外での基地局探索処理を実行する場合における基地局探索のタイミングチャート。
【図４】図１の移動無線端末における第１の基地局探索方法を用いた基地局探索処理の詳細を説明するフローチャート。
【図５】移動無線端末が圏外の状態のままである場合での基地局探索のタイミングチャート。
【図６】図１の移動無線端末における第２の基地局探索方法を用いた基地局探索処理を説明するフローチャート
【図７】移動無線端末が第２の基地局探索方法によって圏外から一旦圏内に復帰した場合での基地局探索のタイミングチャート。
【図８】図１の移動無線端末における第１の基地局探索方法を用いた他の基地局探索処理の詳細を説明するフローチャート。
【図９】図１の移動無線端末における圏外での他の基地局探索処理を説明するフローチャート。
【発明を実施するための形態】
【００１２】
以下、本発明の実施の形態について、図面を参照しながら説明する。図１は、本発明に係る移動無線端末１の内部の構成を表している。移動無線端末１は、アンテナ３１、無線送受信部３２、信号処理部３３、PCMコーデック３４、受話増幅器３５、スピーカ３６、送話増幅器３７、マイクロホン３８、制御部３９、記憶部４０、操作部４１、表示部４２、バッテリ４３、電源回路４４、および時計回路４５を備える。
【００１３】
移動無線端末１は、W-CDMA方式のみならず、GSM方式、cdma2000 1x RTT方式、EVDO方式、および3.9世代のLTEシステムの無線アクセスであるE-UTRA方式のいずれの無線通信方式によっても音声通信やデータ通信を行うことが可能であり、アンテナ３１、無線送受信部３２、および信号処理部３３はこれらの方式に対応している。
【００１４】
アンテナ３１は、移動通信網NWに収容される基地局BSから種々の通信処理システムで送信される無線信号を空間から受信する。また、アンテナ３１は、種々の通信処理システムで無線通信できるように空間にいずれかのアクセス方式の無線信号を放射する。移動通信網NWと基地局BSは、移動通信システムの一部の構成要素である。図１の場合、基地局BSは説明を簡略化するために１つだけ明示しているが、実際には多数の基地局BSが移動通信網NWに収容される。また、移動通信システムにおいては、多数の無線ゾーンが形成される。各無線ゾーンには、少なくとも１つの基地局BSが配備される。基地局BSは、予め割り当てられた周波数で移動無線端末１と無線通信する。
【００１５】
無線送受信部３２は、アンテナ３１を介して、移動通信網NWに収容される基地局BSとの間で種々の通信処理方式で無線通信する。無線送受信部３２は、信号処理部３３にて生成された変調信号に基づいて、制御部３９から指示されるキャリア周波数の無線信号を生成する。また、無線送受信部３２は、制御部３９から指示されるキャリア周波数の無線信号を受信し、周波数シンセサイザから出力された局部発振信号とミキシングして中間周波数信号に周波数変換（ダウンコンバート）する。そして、無線送受信部３２は、このダウンコンバートされた中間周波数信号を直交復調して受信ベースバンド信号を出力する。この受信結果は、信号処理部３３と制御部３９に出力される。
【００１６】
信号処理部３３は、DSP（Digital Signal Processor）などにより構成され、受信ベースバンド信号に所定の信号処理を施し、所定の伝送フォーマットの受信パケットデータを得る。また、信号処理部３３は、受信パケットデータに含まれる音声信号を復調し、この復調結果を復号して音声データなどを得る。一方、信号処理部３３は、送話音声信号を符号化し、符号化によって得た音声データやその他のデータに基づいて変調信号を生成するとともに、生成された変調信号を無線送受信部３２に出力する。
【００１７】
制御部３９は、CPU（Central Processing Unit）、ROM（Read Only Memory）、およびRAM（Random Access Memory）などからなり、CPUは、ROMに記憶されているプログラムまたは記憶部４０からRAMにロードされた、オペレーティングシステム（OS）を含む各種のアプリケーションプログラムや制御プログラムに従って各種の処理を実行するとともに、種々の制御信号を生成し、各部に供給することにより移動無線端末１を統括的に制御する。具体的には、制御部３９は、種々の通信処理システムによる音声通信やデータ通信を実現する制御機能を備えており、無線送受信部３２が用いるキャリア周波数を制御し、無線送受信部３２での受信結果に基づいて基地局から送信される無線フレームとの同期の確立を行う。RAMは、CPUが各種の処理を実行する上において必要なデータなどを適宜記憶する。
【００１８】
制御部３９には、必要に応じて１または複数のCPUが備えられる。なお、本発明の実施形態では、２つのCPUが備えられる例を示すが、これに限定されず、１つのCPUで実施するように制御してもよいし、３つ以上のCPUで実施するようにしてもよい。通信系制御部３９ａは、図示せぬ通信処理CPUを備え、通信処理に用いる制御を行う。通信系制御部３９ａは、アンテナ３１、無線送受信部３２、信号処理部３３、PCMコーデック３４、受話増幅器３５、および送話増幅器３７などを用いた通信処理を制御する。一方、UI系制御部３９ｂは、図示せぬUI処理CPUを備え、記憶部４０、操作部４１、表示部４２、時計回路４５などを用いたＵＩ処理に関して制御を行う。
【００１９】
記憶部４０は、例えば、電気的に書換えや消去が可能な不揮発性メモリであるフラッシュメモリ素子やHDD（Hard Disc Drive）などからなり、制御部３９のCPUにより実行される種々のアプリケーションプログラムや種々のデータ群、移動無線端末１の制御プログラムや制御データ、移動無線端末１またはユーザに固有に割り当てられた識別情報を格納する。この他にも、記憶部４０は、名前と電話番号を対応づけた電話帳データや、データ通信により取得したデータやダウンロードしたデータを適宜記憶する。電源回路４４は、バッテリ４３の出力を基に所定の動作電源電圧Ｖｃｃを生成して各回路部に供給する。移動無線端末１には、現在の時刻を測定する時計回路（タイマ）４５が設けられている。
【００２０】
なお、移動無線端末１は、受話増幅器３５、受話音声信号を拡声出力するスピーカ３６、送話増幅器３７、送話音声信号を入力するマイクロホン３８、ユーザからの要求を受け付ける操作部４１、および受信データに基づく画像を表示する表示部４２を備える。
【００２１】
ＲＳＳＩ測定部４６は、無線送受信部３２が基地局BSから受信する信号の電界強度を測定し、測定された受信信号のＲＳＳＩ値に関する情報を制御部３９に出力する。
【００２２】
本実施形態に係る移動無線端末１は、ＲＳＳＩ測定部４６によって測定される受信信号のＲＳＳＩ値によって基地局探索の対象とする周波数を足切り判定した後に足切り判定を通過する周波数を対象として基地局を探索する第１の基地局探索方法と、ＲＳＳＩ測定部４６によって測定される受信信号のＲＳＳＩ値に基づく足切り判定処理を行わずにすべての周波数を対象として基地局を探索する第２の基地局探索方法とを用いて、移動無線端末１が圏外にある場合における基地局探索を実施する。すなわち、本実施形態に係る移動無線端末１は、第１の基地局探索方法を用いて所定の探索間隔で基地局を探索するとともに、例えば数回に１回の割合で第１の基地局探索方法の代わりに第２の基地局探索方法を用いて基地局を探索する。そして、本実施形態に係る移動無線端末１は、第２の基地局探索方法を用いて基地局を探索しても移動無線端末１が待ち受け可能な基地局の探索に成功しなかった場合、第２の基地局探索方法を用いた基地局探索が実施されるまでの期間を、それ以前の期間よりも長い期間に設定して圏外における基地局探索を実施する。一方、本実施形態に係る移動無線端末１は、第２の基地局探索方法を用いて基地局を探索して移動無線端末１が待ち受け可能な基地局の探索に成功した場合、第２の基地局探索方法を用いた基地局探索が実施されるまでの期間を、それ以前の期間よりも短い期間に設定して圏外における基地局探索を実施する。これにより、消費電力が大きいＲＳＳＩ測定部４６による足切り判定処理を用いずに基地局を探索する第２の基地局探索方法を用いる期間を延長させることにより基地局を探索する場合における低電力化を図るとともに、基地局探索時における基地局の検出率の低下を好適に防止することができ、移動無線端末１が圏内復帰までの時間を短縮することができる。以下、この方法を用いた圏外での基地局探索方法について説明する。
【００２３】
図２のフローチャートを参照して、図１の移動無線端末１における圏外での基地局探索処理について説明する。なお、図２の場合、移動無線端末１が圏内の状態にあって待ち受け処理を実施する場合に、基地局から送信される無線フレームとの同期を維持することができず、移動無線端末１が待ち受けできる基地局が１つも見つからないことによって移動無線端末１が圏外の状態に遷移したとき、移動無線端末１は、圏外での基地局探索処理（圏外処理）を実行するものとする。
【００２４】
ステップＳ１において、通信系制御部３９ａは、第１の基地局探索方法による基地局の探索回数をカウントアップするカウンタＣ１を初期値に設定するとともに、第１の基地局探索方法による探索回数の上限値Ｃｍａｘを初期値に設定する。具体的には、通信系制御部３９ａは、例えばカウンタＣ１を初期値０に設定し、第１の基地局探索方法による探索回数の上限値Ｃｍａｘを初期値２に設定する。また、通信系制御部３９ａは、移動無線端末１が圏外の状態にある圏外期間中に通信系制御部３９ａがスリープするスリープ期間Ｔｓｌｅｅｐを設定する。具体的には、通信系制御部３９ａは、スリープ期間Ｔｓｌｅｅｐを例えば１０（ｓ）に設定する。なお、スリープ期間Ｔｓｌｅｅｐとは、第１の基地局探索方法と第２の基地局探索方法のいずれかによる基地局探索処理が終了してから次の基地局探索処理が開始されるまでの期間を意味する。図３は、移動無線端末１が圏外の状態に遷移した後に圏外での基地局探索処理を実行する場合における基地局探索のタイミングチャートである。図３が示すように、スリープ期間Ｔｓｌｅｅｐが例えば１０（ｓ）に設定されると、第１の基地局探索方法と第２の基地局探索方法のいずれかによる基地局探索処理が終了してから１０秒間経過した後に、通信系制御部３９ａは、第１の基地局探索方法と第２の基地局探索方法のいずれかを用いて次の基地局探索処理を開始する。
【００２５】
なお、後述するように制御部３９のＲＡＭまたは記憶部４０がすでにＣｍａｘの値を記憶する場合には、ステップＳ１の設定処理において移動無線端末１は、Ｃｍａｘの値を初期値に設定するのではなく、制御部３９のＲＡＭまたは記憶部４０がすでに記憶するＣｍａｘの値を用いるものとする。勿論、移動無線端末１が圏外の状態に遷移した後に圏外での基地局探索処理を実行する場合、移動無線端末１は、ステップＳ１の設定処理で一律にＣｍａｘの値を初期値に設定するようにしてもよい。
【００２６】
ステップＳ２において、通信系制御部３９ａは、カウンタＣ１が第１の基地局探索方法による探索回数の上限値Ｃｍａｘと一致するか否かを判定する。なお、移動無線端末１が圏外での基地局探索処理を開始した時点では、通信系制御部３９ａは、カウンタＣ１が第１の基地局探索方法による探索回数の上限値Ｃｍａｘ未満であることから、カウンタＣ１が第１の基地局探索方法による探索回数の上限値Ｃｍａｘと一致しないと判定する。
【００２７】
ステップＳ２において通信系制御部３９ａが、カウンタＣ１が第１の基地局探索方法による探索回数の上限値Ｃｍａｘと一致しないと判定した場合、通信系制御部３９ａはステップＳ３で、第１の基地局探索方法を用いて基地局を探索する。この第１の基地局探索方法を用いた基地局探索処理の詳細は、図４のフローチャートに示される。
【００２８】
図４のフローチャートを参照して、図１の移動無線端末１における第１の基地局探索方法を用いた基地局探索処理の詳細について説明する。ステップＳ３１において、通信系制御部３９ａは、記憶部４０に予め記憶されるキャリア周波数を無線送受信部３２に順に割り当て、記憶部４０に予め記憶されるキャリア周波数を有する信号を無線送受信部３２に順に受信させる。無線送受信部３２は、記憶部４０に予め記憶されるキャリア周波数を有する信号を順に受信し、受信信号をＲＳＳＩ測定部４６に出力する。ＲＳＳＩ測定部４６は、無線送受信部３２からの各周波数の受信信号に関するＲＳＳＩ値を測定し、測定されるＲＳＳＩ値に関する情報を通信系制御部３９ａに出力する。なお、記憶部４０が予めキャリア周波数を記憶していない場合には、移動無線端末１は、所定の周波数帯域に存在する周波数の受信信号に関するＲＳＳＩ値を測定する。
【００２９】
ステップＳ３２において、通信系制御部３９ａは、ＲＳＳＩ測定部４６によって測定される受信信号のＲＳＳＩ値に基づいて、基準値以上のＲＳＳＩ値を有する周波数があるか否かを判定する。ステップＳ３２において通信系制御部３９ａが基準値以上のＲＳＳＩ値を有する周波数があると判定した場合、通信系制御部３９ａはステップＳ３３で、基準値以上のＲＳＳＩ値を有する周波数群の中から、探索対象の周波数を選択する。ステップＳ３４において、通信系制御部３９ａは、無線送受信部３２を制御し、通信系制御部３９ａが選択した周波数で基地局から送信される無線フレームとの同期を試みる。ステップＳ３５において、通信系制御部３９ａは、無線送受信部３２を介して、通信系制御部３９ａが選択した周波数で基地局から送信される無線フレームとの同期に成功したか否かを判定する。ステップＳ３５において通信系制御部３９ａが基地局から送信される無線フレームとの同期に成功したと判定した場合、処理は図２に戻る。
【００３０】
一方、ステップＳ３５において通信系制御部３９ａが基地局から送信される無線フレームとの同期を取得することができないと判定した場合、通信系制御部３９ａはステップＳ３６で、すべての周波数について探索したか否かを判定する。ステップＳ３６において通信系制御部３９ａがすべての周波数について探索していないと判定した場合、処理はステップＳ３３に戻り、通信系制御部３９ａは、基準値以上のＲＳＳＩ値を有する周波数群の中から他の周波数を選択する。これにより、通信系制御部３９ａは、基準値以上のＲＳＳＩ値を有する周波数群に含まれるいずれかの周波数に関する基地局から送信される無線フレームとの同期が確立できるまで、基準値以上のＲＳＳＩ値を有する周波数群を用いて基地局探索処理を実行することができる。
【００３１】
また、ステップＳ３２において通信系制御部３９ａが基準値以上のＲＳＳＩ値を有する周波数がないと判定した場合、処理は図２に戻る。
【００３２】
図２のステップＳ４において、通信系制御部３９ａは、ステップＳ３の処理により基地局の探索に成功したか否かを判定する。すなわち、通信系制御部３９ａは、基準値以上のＲＳＳＩ値を有する周波数群に含まれるいずれかの周波数に関する基地局から送信される無線フレームとの同期が確立できたか否かを判定する。ステップＳ４において通信系制御部３９ａが基地局の探索に成功したと判定した場合、処理はステップＳ９に進み、通信系制御部３９ａはステップＳ９で、待ち受け処理を開始する。すなわち、通信系制御部３９ａは、基地局から送信される無線フレームとの同期が確立できた際の周波数を無線送受信部３２に指定し、無線送受信部３２に報知情報を受信させる。そして、通信系制御部３９ａは、受信した報知情報に基づいて移動無線端末１の位置登録を開始する。位置登録が完了すると、移動無線端末１は、待ち受け状態に遷移する。
【００３３】
一方、ステップＳ４において通信系制御部３９ａが基地局の探索に失敗したと判定した場合、通信系制御部３９ａはステップＳ５で、カウンタＣ１を１だけインクリメントする。例えばステップＳ３において移動無線端末１が第１の基地局探索方法を用いて基地局の探索を１回実行した場合、カウンタＣ１は初期値０から１だけインクリメントされ、カウンタＣ１の値は１に更新される。ステップＳ６において、通信系制御部３９ａは、移動無線端末１が圏外の状態にある圏外期間中に通信系制御部３９ａがスリープするスリープ期間Ｔｓｌｅｅｐのスリープタイマを時計回路４５に設定する。ステップＳ７において、時計回路４５は、設定されたスリープ期間Ｔｓｌｅｅｐのスリープタイマのカウント動作を開始する。このとき、通信系制御部３９ａは、スリープ期間Ｔｓｌｅｅｐのスリープタイマが満了するまでスリープする。ステップＳ８において、時計回路４５は、スリープ期間Ｔｓｌｅｅｐのスリープタイマが満了するまでカウント動作を行う。ステップＳ８において時計回路４５がスリープ期間Ｔｓｌｅｅｐのスリープタイマが満了するまでカウントした場合、処理はステップＳ２に進み、通信系制御部３９ａは起床してステップＳ２以降の処理を実行する。これにより、通信系制御部３９ａは、カウンタＣ１が第１の基地局探索方法による探索回数の上限値Ｃｍａｘと一致するまで第１の基地局探索方法による基地局探索処理を実行する。図５は、移動無線端末１が圏外の状態のままである場合での基地局探索のタイミングチャートである。図５が示すように、通信系制御部３９ａが時刻ｔ１にて第１の基地局探索方法を用いた第１回目の基地局の探索を開始し、時刻ｔ２にて第１の基地局探索方法を用いた第２回目の基地局の探索を開始する。第１の基地局探索方法を用いた第２回目の基地局の探索が終了すると、カウンタＣ１の値がインクリメントされ、カウンタＣ１の値は「２」となる。すなわち、１の基地局探索方法による探索回数の上限値Ｃｍａｘが「２」に設定された場合、カウンタＣ１は１の基地局探索方法による探索回数の上限値Ｃｍａｘと一致する（Ｃ１＝Ｃｍａｘとなる）。
【００３４】
ステップＳ２において通信系制御部３９ａが、カウンタＣ１が第１の基地局探索方法による探索回数の上限値Ｃｍａｘと一致すると判定した場合、通信系制御部３９ａはステップＳ１０で、第２の基地局探索方法を用いて基地局を探索する。図５の場合、通信系制御部３９ａは、時刻ｔ３にて第２の基地局探索方法を用いた基地局の探索を開始する。この第２の基地局探索方法を用いた基地局探索処理の詳細は、図６のフローチャートに示される。
【００３５】
図６のフローチャートを参照して、図１の移動無線端末１における第２の基地局探索方法を用いた基地局探索処理の詳細について説明する。ステップＳ６１において、通信系制御部３９ａは、記憶部４０に予め記憶されるキャリア周波数群の中から、探索対象の周波数を選択する。ステップＳ６２において、通信系制御部３９ａは、通信系制御部３９ａが選択した周波数を無線送受信部３２に割り当て、記憶部４０に予め記憶されるキャリア周波数を有する信号を無線送受信部３２に受信させる。通信系制御部３９ａは、無線送受信部３２を制御し、通信系制御部３９ａが選択した周波数で基地局から送信される無線フレームとの同期を試みる。ステップＳ６３において、通信系制御部３９ａは、無線送受信部３２を介して、通信系制御部３９ａが選択した周波数で基地局から送信される無線フレームとの同期を確立できたか否かを判定する。ステップＳ６３において通信系制御部３９ａが基地局から送信される無線フレームとの同期を確立できたと判定した場合、処理は図２に戻る。
【００３６】
一方、ステップＳ６３において通信系制御部３９ａが基地局から送信される無線フレームとの同期を確立できなかった判定した場合、通信系制御部３９ａはステップＳ６４で、すべての周波数について探索したか否かを判定する。ステップＳ６４において通信系制御部３９ａがすべての周波数について探索していないと判定した場合、処理はステップＳ６１に戻り、通信系制御部３９ａは、記憶部４０に予め記憶されるキャリア周波数群の中から、他の探索対象の周波数を選択する。これにより、通信系制御部３９ａは、記憶部４０に予め記憶されるキャリア周波数群に含まれるいずれかの周波数に関する基地局から送信されてくる無線フレームとの同期を確立できるまで基地局探索処理を実行することができる。
【００３７】
図２のステップＳ１１において、通信系制御部３９ａは、ステップＳ１０の処理により基地局の探索に成功したか否かを判定する。すなわち、通信系制御部３９ａは、記憶部４０に予め記憶されるキャリア周波数群に含まれるいずれかの周波数に関するパイロット信号が検出されたか否かを判定する。ステップＳ１１において通信系制御部３９ａが基地局の探索に失敗したと判定した場合、通信系制御部３９ａはステップＳ１２で、第２の基地局探索方法を用いた基地局探索が実施されるまでの期間をそれ以前の期間よりも長い期間に設定するために、制御部３９のＲＡＭまたは記憶部４０に記憶される現在のＣｍａｘにＣｓだけ加算した値を新たなＣｍａｘの値として設定する。例えば制御部３９のＲＡＭまたは記憶部４０に記憶される現在のＣｍａｘがステップＳ１において設定されたＣｍａｘの初期値「２」である場合、図５が示すように、新たなＣｍａｘは、Ｃｍａｘの初期値「２」にＣｓの値「１」が加算された値「３」に設定される。通信系制御部３９ａは、設定された新たなＣｍａｘの値をＲＡＭまたは記憶部４０に記憶させる。なお、本実施形態に係る移動無線端末１は、第２の基地局探索方法を用いた基地局の探索が失敗した場合に制御部３９のＲＡＭまたは記憶部４０に記憶される現在のＣｍａｘに加算するＣｓの値を、第２の基地局探索方法を用いた基地局探索処理の回数（失敗回数）に応じて変更するようにしてもよい。すなわち、第２の基地局探索方法を用いた基地局探索処理の回数（失敗回数）が１回である場合、制御部３９のＲＡＭまたは記憶部４０に記憶される現在のＣｍａｘに加算するＣｓの値を「１」とし、第２の基地局探索方法を用いた基地局探索処理の回数（失敗回数）が２回である場合、Ｃｓの値を「３」とし、第２の基地局探索方法を用いた基地局探索処理の回数（失敗回数）が３回である場合、Ｃｓの値を「５」とするようにしてもよい。これにより、第２の基地局探索方法を用いることによる消費電力の増加を考慮して、第２の基地局探索方法を用いた基地局探索が実施されるまでの期間を、第２の基地局探索方法を用いた基地局探索処理の回数に応じてそれ以前の期間よりも長い期間に設定しながら圏外における基地局探索を実施することができる。
【００３８】
ステップＳ１３において、通信系制御部３９ａは、カウンタＣ１を初期値「０」に再設定する。ステップＳ１４において、通信系制御部３９ａは、移動無線端末１が圏外の状態にある圏外期間中に通信系制御部３９ａがスリープするスリープ期間Ｔｓｌｅｅｐのスリープタイマを時計回路４５に設定する。ステップＳ１５において、時計回路４５は、設定されたスリープ期間Ｔｓｌｅｅｐのスリープタイマのカウント動作を開始する。このとき、通信系制御部３９ａは、スリープ期間Ｔｓｌｅｅｐのスリープタイマが満了するまでスリープする。ステップＳ１６において、時計回路４５は、スリープ期間Ｔｓｌｅｅｐのスリープタイマが満了するまでカウント動作を行う。ステップＳ１６において時計回路４５がスリープ期間Ｔｓｌｅｅｐのスリープタイマが満了するまでカウントした場合、処理はステップＳ２に進み、通信系制御部３９ａは起床してステップＳ２以降の処理を実行する。これにより、通信系制御部３９ａは、初期値「０」に再設定されたカウンタＣ１が新たなＣｍａｘと一致するまで第１の基地局探索方法による基地局探索処理を実行することができる。具体的には、仮にいずれの基地局の探索が成功しない状況を想定した場合、図５が示すように、通信系制御部３９ａは、Ｃ１の再設定後に時刻ｔ４にて第１の基地局探索方法を用いた第１回目の基地局の探索を開始し、時刻ｔ５にて第１の基地局探索方法を用いた第２回目の基地局の探索を開始し、さらに、時刻ｔ６にて第１の基地局探索方法を用いた第３回目の基地局の探索を開始する。第１の基地局探索方法を用いた第３回目の基地局の探索が終了すると、カウンタＣ１の値がインクリメントされ、カウンタＣ１の値は「３」となる。その後、通信系制御部３９ａは、時刻ｔ７に第２の基地局探索方法を用いた基地局の探索を開始する。そして、通信系制御部３９ａはステップＳ１２で、新たなＣｍａｘを、現在のＣｍａｘの値「３」にＣｓの値「１」を加算した値「４」に設定する。次に、通信系制御部３９ａは、Ｃ１の再設定後に時刻ｔ８にて第１の基地局探索方法を用いた第１回目の基地局の探索を開始し、時刻ｔ９にて第１の基地局探索方法を用いた第２回目の基地局の探索を開始し、時刻ｔ１０にて第１の基地局探索方法を用いた第３回目の基地局の探索を開始し、さらに、時刻ｔ１１にて第１の基地局探索方法を用いた第３回目の基地局の探索を開始する。
【００３９】
このように、本実施形態に係る移動無線端末１は、ＲＳＳＩ測定部４６による足切り判定処理を用いる第１の基地局探索方法で基地局を探索することができない場合には、第２の基地局探索方法を用いることによる消費電力の増加を考慮して、第２の基地局探索方法を用いた基地局探索が実施されるまでの期間をそれ以前の期間よりも長い期間に設定しながら圏外における基地局探索を実施することができる。これにより、本実施形態に係る移動無線端末１は、第１の基地局探索方法では検出することができない周波数を検出することができ、第２の基地局探索方法の実施頻度を減らしながら基地局の検出率の低下を防止することができる。
【００４０】
一方、ステップＳ１１において通信系制御部３９ａが基地局の探索に成功したと判定した場合、処理はステップＳ１７に進み、通信系制御部３９ａはステップＳ１７で、第２の基地局探索方法を用いた基地局探索が実施されるまでの期間をそれ以前の期間よりも短い期間に設定するために、制御部３９のＲＡＭまたは記憶部４０に記憶される現在のＣｍａｘからＣｓだけ減算した値を新たなＣｍａｘの値として設定する。例えば制御部３９のＲＡＭまたは記憶部４０に記憶される現在のＣｍａｘがステップＳ１において設定されたＣｍａｘの初期値「２」である場合、新たなＣｍａｘは、Ｃｍａｘの初期値「２」にＣｓの値「１」が減算された値「１」に設定される。通信系制御部３９ａは、設定された新たなＣｍａｘの値をＲＡＭまたは記憶部４０に記憶させる。処理はステップＳ９に進み、通信系制御部３９ａはステップＳ９で、待ち受け処理を開始する。
【００４１】
図７は、移動無線端末１が第２の基地局探索方法によって圏外から一旦圏内に復帰した場合での基地局探索のタイミングチャートである。図７が示すように、通信系制御部３９ａは、Ｃ１の再設定後に時刻ｔ４にて第１の基地局探索方法を用いた第１回目の基地局の探索を開始し、時刻ｔ５にて第１の基地局探索方法を用いた第２回目の基地局の探索を開始し、さらに、時刻ｔ６にて第１の基地局探索方法を用いた第３回目の基地局の探索を開始する。第１の基地局探索方法を用いた第３回目の基地局の探索が終了すると、カウンタＣ１の値がインクリメントされ、カウンタＣ１の値は「３」となる。その後、通信系制御部３９ａは、時刻ｔ７に第２の基地局探索方法を用いた基地局の探索を開始する。そして、時刻ｔ７での第２の基地局探索方法を用いた基地局の探索が成功した場合、通信系制御部３９ａはステップＳ１７で、新たなＣｍａｘを、現在のＣｍａｘの値「３」にＣｓの値「１」を減算した値「２」に設定する。その後、移動無線端末１がステップＳ９で、待ち受け処理を開始し、移動無線端末１は待ち受け状態となる。移動無線端末１が圏外に遷移すると、移動無線端末１は、制御部３９のＲＡＭまたは記憶部４０が記憶する現在Ｃｍａｘの値「２」を用いて圏外での基地局探索処理を実行する。
【００４２】
本実施形態に係る移動無線端末１は、消費電力が大きいＲＳＳＩ測定部４６による足切り判定処理を用いずに基地局を探索する第２の基地局探索方法を用いる期間を延長させることにより基地局を探索する場合における低電力化を図るとともに、第１の基地局探索方法のみを用いることによる基地局の検出率の低下を好適に防止することができ、移動無線端末１が圏内復帰までの時間を短縮することができる。
【００４３】
なお、図４の第１の基地局探索方法を用いた基地局探索処理の場合、記憶部４０に予め記憶される各キャリア周波数を有する信号を順に受信し、受信信号のＲＳＳＩ値を測定し、その後基準値以上のＲＳＳＩ値を有する周波数の中から探索対象の周波数を選択するようにしたが、このような場合に限られず、まず記憶部４０に予め記憶される複数のキャリア周波数の中から探索対象の周波数を選択し、その後、受信信号のＲＳＳＩ値を測定し、基準値以上のＲＳＳＩ値を有する場合に基地局から送信される無線フレームとの同期を試みるようにしてもよい。この場合における第１の基地局探索方法を用いた基地局探索処理は、図７のフローチャートに示される。
【００４４】
図７のフローチャートを参照して、図１の移動無線端末１における第１の基地局探索方法を用いた他の基地局探索処理の詳細について説明する。ステップＳ３１において、通信系制御部３９ａは、記憶部４０に予め記憶されるキャリア周波数群の中から、探索対象の周波数を選択する。ステップＳ７２において、通信系制御部３９ａは、記憶部４０に予め記憶されるキャリア周波数群の中から探索対象として選択された周波数を無線送受信部３２に順に割り当て、記憶部４０に予め記憶されるいずれかのキャリア周波数を有する信号を無線送受信部３２に順に受信させる。無線送受信部３２は、探索対象の周波数の信号を受信し、受信信号をＲＳＳＩ測定部４６に出力する。ＲＳＳＩ測定部４６は、無線送受信部３２からの探索対象の周波数の受信信号に関するＲＳＳＩ値を測定し、測定されるＲＳＳＩ値に関する情報を通信系制御部３９ａに出力する。なお、記憶部４０が予めキャリア周波数を記憶していない場合には、移動無線端末１は、所定の周波数帯域に存在する周波数の受信信号に関するＲＳＳＩ値を測定する。
【００４５】
ステップＳ７３において、通信系制御部３９ａは、ＲＳＳＩ測定部４６によって測定される受信信号のＲＳＳＩ値に基づいて、探索対象の周波数の受信信号が基準値以上のＲＳＳＩ値を有するか否かを判定する。ステップＳ７３において通信系制御部３９ａが基準値以上のＲＳＳＩ値を有すると判定した場合、通信系制御部３９ａはステップＳ７４で、無線送受信部３２を制御し、探索対象の周波数で基地局から送信される無線フレームとの同期を試みる。ステップＳ７５において、通信系制御部３９ａは、無線送受信部３２を介して、探索対象の周波数で基地局から送信される無線フレームとの同期に成功したか否かを判定する。ステップＳ７５において通信系制御部３９ａが基地局から送信される無線フレームとの同期に成功したと判定した場合、処理は図２に戻る。
【００４６】
一方、ステップＳ７５において通信系制御部３９ａが基地局から送信される無線フレームとの同期を取得することができないと判定した場合、通信系制御部３９ａはステップＳ７６で、記憶部４０に予め記憶されるキャリア周波数群に含まれるすべての周波数について探索したか否かを判定する。ステップＳ７６において通信系制御部３９ａがすべての周波数について探索していないと判定した場合、処理はステップＳ７１に戻り、通信系制御部３９ａは、記憶部４０に予め記憶されるキャリア周波数群の中から他の周波数を選択する。これにより、通信系制御部３９ａは、基準値以上のＲＳＳＩ値を有するいずれかの周波数に関する基地局から送信される無線フレームとの同期が確立できるまで、基準値以上のＲＳＳＩ値を有する周波数群を用いて基地局探索処理を実行することができる。
【００４７】
また、ステップＳ７３において通信系制御部３９ａが基準値以上のＲＳＳＩ値を有しないと判定した場合、処理はステップＳ７６に進む。
【００４８】
なお、図２のステップＳ１７におけるＣｍａｘの再設定処理において現在のＣｍａｘが所定の基準値以下である場合には、移動無線端末１は、現在のＣｍａｘの値からＣｓを減算しないようにしてもよい。この場合における処理は、図９のフローチャートに示される。なお、図９の処理は基本的に図２の処理と同様であり、重複する部分の説明については繰り返しになるので省略する。
【００４９】
ステップ９１において通信系制御部３９ａが基地局の探索に成功したと判定した場合、処理はステップＳ９７に進み、通信系制御部３９ａはステップＳ９７で、制御部３９のＲＡＭまたは記憶部４０に記憶される現在のＣｍａｘの値が所定の基準値以下であるか否かを判定する。ステップＳ９７において通信系制御部３９ａが現在のＣｍａｘの値が所定の基準値以下ではないと判定した場合、処理はステップＳ９８に進み、通信系制御部３９ａはＣｍａｘの再設定処理を行う。一方、ステップＳ９７において通信系制御部３９ａが現在のＣｍａｘの値が所定の基準値以下であると判定した場合、ステップＳ９８の処理はスキップされる。これにより、Ｃｍａｘの値は所定の基準値未満にならないようにすることができ、第２の基地局探索方法を用いた基地局探索処理を頻繁に行うことで消費電力が増加することを防止することができる。
【００５０】
また、図２のステップＳ１７におけるＣｍａｘの再設定処理において現在のＣｍａｘが所定の基準値以上である場合には、移動無線端末１は、現在のＣｍａｘの値から減算するＣｓの値を変更し、現在のＣｍａｘの値を大幅に減算するようにしてもよし、現在のＣｍａｘの値に応じてＣｓの値を任意に変更してもよい。
【００５１】
さらに、図９の場合とは反対に、図２のステップＳ１２におけるＣｍａｘの再設定処理において現在のＣｍａｘが所定の基準値以上である場合には、移動無線端末１は、現在のＣｍａｘの値からＣｓを加算しないようにしてもよい。これにより、Ｃｍａｘの値は所定の基準値以上にならないようにすることができ、第２の基地局探索方法を用いた基地局探索処理を最低限度の間隔で行うことができる。
【００５２】
また、本実施形態に係る移動無線端末１は、第２の基地局探索方法を用いた基地局探索処理による探索頻度を、第１の基地局探索方法を用いた基地局探索処理の探索回数との回数の比によって設定するようにしたが、このような場合に限られず、第１の基地局探索方法を用いた基地局探索処理による探索時間と第２の基地局探索方法を用いた基地局探索処理による探索時間とをそれぞれ設定し、両者の基地局探索処理による探索時間の比によって第２の基地局探索方法を用いた基地局探索処理による探索頻度を設定するようにしてもよい。
【００５３】
なお、本発明の実施形態において説明した一連の処理は、ソフトウェアにより実行させることもできるが、ハードウェアにより実行させることもできる。
【００５４】
また、本発明の実施形態では、フローチャートのステップは、記載された順序に沿って時系列的に行われる処理の例を示したが、必ずしも時系列的に処理されなくとも、並列的あるいは個別実行される処理をも含むものである。
【符号の説明】
【００５５】
１…移動無線端末、３１…アンテナ、３２…無線送受信部、３３…信号処理部、３４…ＰＣＭコーデック、３５…受話増幅器、３６…スピーカ、３７…送話増幅器、３８…マイクロホン、３９…制御部、４０…記憶部、４１…操作部、４２…表示部、４３…バッテリ、４４…電源回路、４５…時計回路、４６…ＲＳＳＩ測定部。
【図１】
2011044956.tif 000003
【図２】
2011044956.tif 000004
【図３】
2011044956.tif 000005
【図４】
2011044956.tif 000006
【図５】
2011044956.tif 000007
【図６】
2011044956.tif 000008
【図７】
2011044956.tif 000009
【図８】
2011044956.tif 000010
【図９】
2011044956.tif 000011